(57)【要約】  【課題】  外界の状況に応じて機能及び設定モードを自動的に変更することができる携帯電話等の通信用端末装置、通信用端末装置の機能設定変更方法及びそのプログラムを提供する。  【解決手段】  外界状況の変化を検出し、外界状況変化検出信号を送信する状況変化検出手段１７と、外界状況変化検出信号を受信することにより、記憶手段２０に記憶されている所定の機能及び／又は設定を読み出して、機能及び／又は設定を変更する制御手段１１と、を有する通信用端末装置１０。【選択図】  図１
2006074477.tif 000002
【特許請求の範囲】
【請求項１】
外界状況の変化を検出し、外界状況変化検出信号を送信する状況変化検出手段と、
前記外界状況変化検出信号を受信することにより、記憶手段に記憶されている所定の機能及び／又は設定を読み出して、機能及び／又は設定を変更する制御手段と、
を有することを特徴とする通信用端末装置。
【請求項２】
前記状況変化検出手段は、時間帯の切り替わりを検知する時間帯変化検出部であり、
前記制御手段は、前記時間帯変化検出部からの時間帯変化検出信号を受信すると、記憶手段から第１の状況の時間専用の機能及び／又は設定を読み出し、第２の状況の時間専用の機能及び／又は設定に変更することを特徴とする請求項１に記載の通信用端末装置。
【請求項３】
前記状況変化検出手段は、運動後の身体の回復度合いに応じて、身体の状況変化を検出する身体状況変化検出部であり、
前記制御手段は、前記身体状況変化検出部からの身体状況変化検出信号によって、機能及び／又は設定を変更することを特徴とする請求項１に記載の通信用端末装置。
【請求項４】
前記状況変化検出手段は、外界の明度を検出する明度状況変化検出部であり、
前記制御手段は、前記明度状況変化検出部からの明度状況変化検出信号によって、機能及び／又は設定を変更することを特徴とする請求項１に記載の通信用端末装置。
【請求項５】
前記状況変化検出手段は、現在の位置情報を取得し、場所の変化を検出する場所変化検出部であり、
前記制御手段は、前記場所変化検出部からの場所変化検出信号によって、機能及び／又は設定を変更することを特徴とする請求項１に記載の通信用端末装置。
【請求項６】
前記状況変化検出手段は、通信用端末装置に作用する重力状況の変化を検出する、重力状況変化検出部であり、
前記制御手段は、前記重力状況変化検出部からの重力状況変化検出信号によって、機能及び／又は設定を変更することを特徴とする請求項１に記載の通信用端末装置。
【請求項７】
前記状況変化検出手段は、折りたたみ式の通信用端末装置の開閉度が所定の値以上に変化したか否かを検出する開閉状況変化検出部であり、
前記制御手段は、前記開閉状況変化検出部からの開閉状況変化検出信号によって、機能及び／又は設定を変更することを特徴とする請求項１に記載の通信用端末装置。
【請求項８】
前記状況変化検出手段は、通信用端末装置の電話の着信または電子メールの受信を検出する着受信検出部であり、
前記制御手段は、前記着受信検出部からの着受信検出信号によって、機能及び／又は設定を変更することを特徴とする請求項１に記載の通信用端末装置。
【請求項９】
前記状況変化検出手段は、現在の時刻を取得し、現在の時刻が予め登録した時刻であるかを否かを検出する登録時刻検出部であり、
前記制御手段は、前記登録時刻検出部からの登録時刻検出信号によって、機能及び／又は設定を変更することを特徴とする請求項１に記載の通信用端末装置。
【請求項１０】
前記状況変化検出手段は、現在の位置情報を取得し、現在位置が予め登録した地域であるかを否かを検出する地域変化検出部であり、
前記制御手段は、前記地域変化検出部からの地域変化検出信号によって、機能及び／又は設定を変更することを特徴とする請求項１に記載の通信用端末装置。
【請求項１１】
前記設定は、アカウント名、電話番号、電子メールアドレス、着信音量、着信音、壁紙、カラーパターンのうちいずれか１つを含むことを特徴とする請求項１〜１０のいずれか１項に記載の通信用端末装置。
【請求項１２】
携帯電話装置であることを特徴とする請求項１〜１１のいずれか１項に記載の通信用端末装置。
【請求項１３】
外界状況の変化を検出し、外界状況変化検出信号を送信するステップと、
前記外界状況変化検出信号を受信することにより、記憶手段に記憶されている所定の機能及び／又は設定を読み出して、機能及び／又は設定を変更するステップと、
を含むことを特徴とする通信用端末装置の機能設定変更方法。
【請求項１４】
コンピュータに、
外界状況の変化を検出し、外界状況変化検出信号を送信する機能と、
前記外界状況変化検出信号を受信することにより、記憶手段に記憶されている所定の機能及び／又は設定を読み出して、機能及び／又は設定を変更する機能と、
を実現させることを特徴とする通信用端末装置の機能設定変更プログラム。
【発明の詳細な説明】
【技術分野】
【０００１】
本発明は、通信用端末装置、通信用端末装置の機能設定変更方法及びそのプログラムに関する。
【背景技術】
【０００２】
近年、通信用端末の一つである携帯電話が普及し、その機能は電話機能だけでなく、電子メール送受信機能等も備えるようになっている。各種の設定モードとしては、受話音量設定、着信音設定、電子メールアドレス設定等の各種の設定モードがある。また、例えば、使用者が会議室、電車の中など通話に適さない場所に移動したときに、着信音などで周りの人々に迷惑を与えないようにするために、着信音が鳴動せずバイブレーション等により着信を知らせるマナーモード機能などもある。
これらの設定モードは、使用者自身が状況に応じて所定の設定モードを選択するものである。この設定モードの変更は、使用者自身が携帯電話の表示部に表示された画面を見ながら、キー操作を行うことによってなされる。
【０００３】
一方、使用者自身が操作をしなくても携帯電話のある特定の設定モードのみを自動的に変更するシステムとして、例えば、特許文献１に開示された携帯電話を用いた警備システムがある。
この携帯電話を用いた警備システムでは、警備領域を警備する警備状態と警備しない解除状態との２つの警備モードを設け、着信を受けたとき、送信側の携帯電話番号を取得し、取得した電話番号を予め登録した携帯電話の電話番号と比較照合し、送信側の携帯電話番号は予め登録した携帯電話の電話番号と一致する場合、自動的に現警備モードを他の警備モードに切り替える。
【０００４】
また、使用者自身が操作をしなくても携帯電話の電話帳データを自動的に登録する携帯電話（例えば、特許文献２参照）がある。この携帯電話を新規に購入したときや、機種変更したときなどに、受信した電子メールの中に、所定の書式や形式の電話帳データが含まれている場合に、その電話帳データを新規登録するか、あるいは、既登録の電話帳データの書き換えを行う。
【特許文献１】特開２００３−２９６８５６号公報
【特許文献２】特開２００２−１３５３９６号公報
【発明の開示】
【発明が解決しようとする課題】
【０００５】
しかしながら、従来の携帯電話では、機能及び設定モードを変更したいときには、使用者が携帯電話の表示部に表示された画面を見ながら、一連の操作を行わなければならないので面倒である。
また、特許文献１に開示された携帯電話は、警備システムという特殊な用途のみに使用されるものであり、一般的な携帯電話における機能及び設定を自動的に変更することはできないものである。
また、特許文献２に開示された携帯電話は、電話帳データを自動的に登録または書き換えを行うものであり、それ以外の機能及び設定モード変更は自動的に行うことはできないものである。
【０００６】
ところで、１台の携帯電話を仕事用と個人用とで使い分ける場合は、機能の固有値をそれぞれの場合に応じて変更すると、非常に便利である。
このような機能の固有値としては、例えば、タスクがカレンダーに記録されており指定時刻にアラームなどでタスクの所在を通知する機能の固有値、メールなどで文章作成する際に変換候補や入力予測候補を表示する機能の固有値、目的別に分類されたアプリケーション群をグループとして管理する機能の固有値、メールアドレス帳に登録されたメールアドレスを表示する機能の固有値などがある。
しかしながら、従来の携帯電話では、１台の携帯電話で仕事用と個人用の各機能の固有値を簡単に切り替えて使用することは困難である。
【０００７】
本発明が解決しようとする課題（目的）は、外界の状況に応じて機能及び設定モードを自動的に変更することができる通信用端末装置、通信用端末装置の機能設定変更方法及びそのプログラムを提供することがその一例として挙げられる。
【課題を解決するための手段】
【０００８】
請求項１に記載の通信用端末装置は、外界状況の変化を検出し、外界状況変化検出信号を送信する状況変化検出手段と、前記外界状況変化検出信号を受信することにより、記憶手段に記憶されている所定の機能及び／又は設定を読み出して、機能及び／又は設定を変更する制御手段と、を有することを特徴とする。
【０００９】
請求項１３に記載の通信用端末装置の機能設定変更方法は、外界状況の変化を検出し、外界状況変化検出信号を送信するステップと、前記外界状況変化検出信号を受信することにより、記憶手段に記憶されている所定の機能及び／又は設定を読み出して、機能及び／又は設定を変更するステップと、を含むことを特徴とする。
【００１０】
請求項１４に記載の通信用端末装置の機能設定変更プログラムは、コンピュータに、外界状況の変化を検出し、外界状況変化検出信号を送信する機能と、前記外界状況変化検出信号を受信することにより、記憶手段に記憶されている所定の機能及び／又は設定を読み出して、機能及び／又は設定を変更する機能と、を実現させることを特徴とする。
【発明を実施するための最良の形態】
【００１１】
以下、本発明に係る通信用端末装置の実施の形態について、図面を参照して詳細に説明する。本実施の形態では、携帯電話装置を通信用端末装置の一例とする。
図１は、本発明の実施の形態に係る携帯電話装置の全体構成を示すブロック図である。
図１において、本実施の形態の携帯電話装置１０は、アンテナ１２と、送受信部１３と、ＲＦ，オーディオ処理部１４と、マイクロフォン１５と、スピーカ１６と、センサー１７と、状況変化検出部１８と、操作部１９と、表示部２０と、記憶部２１と、制御部１１とで構成されている。
【００１２】
送受信部１３は、アンテナ１２を介して図示しない基地局と所定の周波数帯域による無線信号の送受信を行う。
ＲＦ，オーディオ処理部１４は、送受信部１３によって送受信される無線信号の変復調や各種データの判定及び分離などの各種処理や、分離された音声データを復調し、スピーカ１６に出力したり、マイクロフォン１５で取得した音声データを変調し、処理したりするものである。
【００１３】
マイクロフォン１５は、外部音声を集音して電気信号に変換し、変換した音声信号をＲＦ，オーディオ処理部１４に送出する。
スピーカ１６は、ＲＦ，オーディオ処理部１４から出力される音声信号の再生を行うもので、通話相手の音声や着信音を出力したりする。
センサー１７は、外界状況を電気信号に変換して、状況変化検出部１８に出力するものであり、外界状況の変化が発生したとき電気信号も変化して、状況変化検出部１８に出力する。
【００１４】
状況変化検出部１８は、センサー１７からの電気信号を受信し、受信した電気信号が変化したとき、外界状況の変化が発生したことを検出し、その外界状況の変化が発生したことを制御部１１に通知する。
操作部１９は、数字キーや文字キーと各種機能キーなどを有して構成され、電話番号や文字などの入力、電話番号設定、着信音設定、着信音量設定、メールアカウント設定等各種操作に用いられる。
【００１５】
表示部２０は、操作部１９から入力されたデータや動作中の機能の状態等を表示するものである。
【００１６】
記憶部２１は、制御部１１の制御プログラムを含む各種の情報の記憶や、制御部１１の処理に用いられる各種のデータを一時的に記憶するためのメモリである。
【００１７】
また、操作部１９による入力された各種設定も記憶する。本発明の実施の形態では、電話番号とメールアカウントを仕事時間用と個人生活時間用と区別して設定することができるので、ここで、その設定を区別して記憶しておく。すなわち、本発明の実施の形態では、記憶部２１は複数の電話番号設定とメールアカウント設定を記憶することができる。
【００１８】
制御部１１は、携帯電話装置１０の各部と接続されており、携帯電話装置１０全体の制御を行うものであり、操作部１９からの各種指示の入力、送受信部１３における送受信の制御、ＲＦ，オーディオ処理部１４における各種処理の制御、電話及びメール着信通知音データの送出制御などの各種制御を行う。また、状況変化検出部１８からの検出信号の出力結果に基づいて、携帯電話装置１０の機能及び設定の変更の制御を行う。
【００１９】
ここで、制御部１１により制御される機能及び設定の変更は、例えば、仕事の時間帯から個人生活の時間帯に変化したとき、電話番号とメールアカウントを仕事時間用から個人生活時間用への設定変更や、使用者がいる場所が変化したとき、着信音量の設定変更及びそれらの設定変更の対応する機能変更などである。
【００２０】
図２〜図４は、本発明の実施の形態における、電話番号の変遷イメージ及び制御部の制御により設定変更の例を示す図であり、図２は通常モードを示す図、図３は昼モードを示す図、図４は夜モードを示す図である。
図２に示す通常モードは電話番号甲を保持し、図３に示す昼モードは電話番号丙を保持し、図４に示す夜モードは電話番号乙を保持する。
さらに、図５は、本発明の実施の形態における、電話番号の変遷イメージ及び制御部の制御により状況に応じて、アカウント名、電話番号、電子メールアドレス、着信音量、着信音、壁紙、カラーパターンなどをそれぞれ変更した例である。
【００２１】
次に、本発明の実施の形態に係る携帯電話装置１０について、制御部１１を中心とした外界状況変化時の動作を図６に示すフローチャートに基づいて説明する。
【００２２】
はじめに、センサー１７は外界状況に関する情報を取得し、電気信号に変換し、状況変化検出部１８に送信する（ステップＳ１）。
状況変化検出部１８はセンサー１７から送信された電気信号を解析し、外界状況の変化が発生したか否かを検出して（ステップＳ２）、変化が発生した場合（ＹＥＳ）に、外界状況変化検出信号を制御部１１に送信する。
【００２３】
一方、ステップＳ２において、外界状況に変化が発生していない場合（ＮＯ）は、ステップＳ３０１に戻り、外界状況の情報取得を継続する。
【００２４】
制御部１１は、状況変化検出部１８からの外界状況変化検出信号を受信することにより、記憶部２１から変化した外界状況に対応する機能及び設定を読み出し、携帯電話装置１０の設定変更を行う（ステップＳ３）。
例えば、携帯電話装置１０の設定がα＝ｘ、β＝ｙ、γ＝ｚであった場合、外界状況の変化が発生したので、携帯電話装置１０の設定をα＝ｘ、β＝ｙ、γ＝ｚからα＝ｘ´、β＝ｙ´、γ＝ｚ´に変更する。
【００２５】
さらに、制御部１１は、携帯電話装置１０の機能の変更を行う（ステップＳ４）。
例えば、携帯電話装置１０の機能が設定α＝ｘ、β＝ｙ、γ＝ｚに対応する機能Ａと機能Ｂであった場合、その機能を設定α＝ｘ´、β＝ｙ´、γ＝ｚ´に対応する機能Ｃと機能Ｄに変更する。
【００２６】
携帯電話装置１０は、変更した機能及び設定で動作する（ステップＳ５）。そして、処理が終了する（ステップＳ６）。
【００２７】
以上説明したように、状況変化検出部１８は、外界状況の変化を検出し、外界状況変化検出信号を制御部１１に送出する。
制御部１１は、状況変化検出部１８からの外界状況変化検出信号を受信すると、記憶部２１に記憶されている変化した外界状況に対応する機能及び設定を読み出して、携帯電話装置１０の機能及び設定を自動的に変更する。
このため、外界状況が変化するとき、その変化に応じて携帯電話装置の機能及び設定は自動的に変更することができる。
【００２８】
なお、制御部１１は、外界状況変化検出信号を受信した際に、機能のみ、あるいは、設定のみを変更するようにしてもよい。
【００２９】
上記の外界状況としては、様々な状況が考えられる。その様々な外界状況に関する情報を取得するセンサー１７も、取得する情報に応じて様々な種類のセンサーを用いることができる。以下、外界状況の例として実施例１〜実施例９を挙げて詳細に説明する。
【実施例１】
【００３０】
実施例１は、仕事の時間帯から個人生活の時間帯への切り替わりを検知して、電話番号、メールアドレス、着信音量、着信音等を自動的に仕事専用から個人専用に変化する例である。
図７は、本実施例に係る携帯電話装置４０の構成を示すブロック図である。
【００３１】
実施例１の携帯電話装置４０は、図１に示す携帯電話装置１０の構成において、センサーとして時計４２とカレンダー４３とを用いたものである。この例では、状況変化検出手段として時間帯変化検出部４４を設けた。なお、図１に示した携帯電話装置１０と同一の構成要素には、同一の符号を付してその説明を省略する。
【００３２】
時間帯変化検出部４４は、時計４２から現在の時刻を取得し、カレンダー４３から現在の日付・曜日を取得し、予め設定された仕事の時間帯及び個人生活の時間帯のどちらの時間帯に該当するかを判断し、時間帯が切り替わったと判定した場合、時間帯変化検出信号を制御部４１に送出する。
【００３３】
制御部４１は、時間帯変化検出部４４からの時間帯変化検出信号を受信すると、記憶部２１から仕事の時間帯または個人生活の時間帯用の電話番号、メールアドレス、着信音量、着信音等を読み出して、携帯電話装置４０の設定、すなわち、電話番号、メールアドレス、着信音量、着信音等の各設定を切り替わった時間帯用の設定に変更する。
また、携帯電話装置４０の機能も変更後の電話番号、メールアドレス、着信音量、着信音等の各設定に対応する機能に変更するよう制御する。ここで、機能の変更例としては、例えば、以下のものがある。
【００３４】
（１）スケジュール：タスクがカレンダーに記録されており、指定時刻にアラームなどでタスクの所在を通知する機能。
変化の一例としては、例えば、優先通知するスケジュールが「仕事に行うべきタスク」から「個人生活に行うべきタスク」に変化する。
（２）辞書：メールなどで文章作成する際に、変換候補や入力予測候補を表示する機能。
変化の一例としては、例えば、優先表示する候補一覧が「仕事に頻出の語句、文」から「個人生活に頻出の語句、文」に変化する。
（３）アプリケーションジャンル：目的別に分類されたアプリケーション群をグループとして管理する機能。
変化の一例としては、例えば、優先使用するアプリケーションジャンル一覧が「仕事に必要なアプリケーションジャンル」から「個人生活に必要なアプリケーションジャンル」に変化する。
【００３５】
図８は、時間帯が変化するとき、携帯電話装置４０の動作を示すフローチャートである。
はじめに、時計４２から現在の時刻を取得し、カレンダー４３から現在の日付・曜日を取得する（ステップＳ１０１）。
そして、予め設定された仕事の時間帯及び個人生活の時間帯のどちらの時間帯に該当するかを判断し（ステップＳ１０２）、時間帯が切り替わったと判定した場合（ＹＥＳ）、時間帯変化検出信号を制御部４１に送出する。
【００３６】
ステップＳ１０２において、時間帯が切り替わっていないと判定した場合（ＮＯ）、ステップＳ１０１に戻り、再び時間帯変化の検出を行う。
【００３７】
制御部４１は、時間帯変化検出信号を受信することにより、携帯電話装置４０の設定、すなわち、電話番号、メールアドレス、着信音量、着信音等の各設定を変更する（ステップＳ１０３）。
【００３８】
さらに、制御部４１は、携帯電話装置４０の機能に対して、各設定に対応する機能に変更する（ステップＳ１０４）。
これにより、携帯電話装置４０は、変更した機能及び設定で動作する（ステップＳ１０５）。そして、処理が終了する（ステップＳ１０６）。
【００３９】
このように、実施例１では、時計４２から取得した現在の時刻と、カレンダー４３から取得した仕事の時間帯または個人生活の時間帯の情報により、時間帯が切り替わったか否かを判断し、切り替わった場合に、携帯電話装置４０の設定、すなわち、電話番号、メールアドレス、着信音量、着信音等の各設定を変更する。
これにより、時間帯が切り替わるとき、携帯電話装置の機能及び設定は自動的に仕事の時間帯用の機能及び設定から個人生活の時間帯用の機能及び設定へ、あるいは、個人生活の時間帯用の機能及び設定から仕事の時間帯用の機能及び設定に変更することができる。
【実施例２】
【００４０】
実施例２は、携帯電話装置を所持している使用者がジョギングなどの運動をしている時と平常時とにおいて、その機能及び設定が異なるようにした例である。例えば、使用者の身体状況変化を脈拍、体温の変化によって検知し、電話番号、メールアドレス、着信音量、着信音等を自動的に変化させる例である。
図９は、本実施例に係る携帯電話装置６０の構成を示すブロック図である。
【００４１】
実施例２の携帯電話装置６０は、図１に示す携帯電話装置１０の構成において、センサーとして、体温計６２と心拍計６３とを用いたものである。この例では、状況変化検出手段として、身体状況変化検出部６４を設けた。なお、図１に示した携帯電話装置１０と同一の構成要素には、同一の符号を付してその説明を省略する。
【００４２】
身体状況変化検出部６４は、体温計６２で体温を取得し、心拍計６３で心拍数を取得して、体温または心拍数が平常値より変化があるとき、身体状況変化検出信号を制御部６１に送出する。
【００４３】
制御部６１は、身体状況変化検出部６４からの身体状況変化検出信号を受信すると、携帯電話装置６０の設定、すなわち、電話番号、メールアドレス、着信音量、着信音等の各設定を身体の回復度合い（心拍、体温の変化）に応じて変更する。また、携帯電話装置６０の機能も変更後の電話番号、メールアドレス、着信音量、着信音等の各設定に対応する機能に変更するよう制御する。
【００４４】
図１０は、身体状況が変化するとき、携帯電話装置６０の動作を示すフローチャートである。
身体状況変化検出部６４は、体温計６２で体温を取得し、心拍計６３で心拍数を取得する（ステップＳ２０１）。
そして、体温と心拍数が平常時の範囲から外れるように変化したか否かを判定し（ステップＳ２０２）、正常な範囲から外れるように変化した場合（ＹＥＳ）、身体状況が変化したとして、身体状況変化検出信号を制御部６１に送出する。
【００４５】
ステップＳ２０２において、体温と心拍数が平常時の範囲内であり、身体状況の変化がないと判定した場合、ステップＳ２０１に戻る。
【００４６】
制御部６１は、身体状況変化検出信号を受信することにより、携帯電話装置６０の設定、すなわち、電話番号、メールアドレス、着信音量、着信音等の各設定を変更する（ステップＳ２０３）。
【００４７】
さらに、制御部６１は、携帯電話装置６０の機能に対して、各設定に対応する機能に変更する（ステップＳ２０４）。
これにより、携帯電話装置６０は、変更した機能及び設定で動作する（ステップＳ２０５）。そして、処理が終了する（ステップＳ２０６）。
【００４８】
このように、実施例２では、体温計６２及び心拍計６３で取得した体温と心拍数により、身体状況に変化があるか否かを判断し、身体状況に変化があると判定したときに、携帯電話装置６０の設定、すなわち、電話番号、メールアドレス、着信音量、着信音等の各設定を身体状況（体温、心拍数の変化）に応じて変更する。
これにより、使用者の身体状況が運動時の場合と平常時の場合において、携帯電話装置の機能及び設定を自動的に変更することができる。さらに、例えば、運動後の身体状況の回復に応じて、徐々に着信音量を下げるなどのように、身体状況（体温、心拍数の変化）の細かい変化に応じて携帯電話装置の機能及び設定を細かく変化させることもできる。
【実施例３】
【００４９】
実施例３は、ポケットの中など暗い場所に移動したときに、着信音量が自動的にバイブレーションモードに変化する例である。
図１１は、本実施例に係る携帯電話装置８０の構成を示すブロック図である。
【００５０】
実施例３の携帯電話装置８０は、図１に示す携帯電話装置１０の構成において、センサーとして、外界明度センサー８２を用いたものである。この例では、状況変化検出手段として、明度状況変化検出部８３を設けた。なお、図１に示した携帯電話装置１０と同一の構成要素には、同一の符号を付してその説明を省略する。
【００５１】
外界明度センサー８２は、外界明度を電気信号に変換するものであり、変換で得た電気信号を明度状況変化検出部８３に送出する。
明度状況変化検出部８３は、外界明度センサー８２からの電気信号により、現在の外界明度値を取得し、現在の外界明度値で示した外界明度が基準となる所定の明度より暗いとき、明度状況変化検出信号を制御部８１に送出する。
制御部８１は、明度状況変化検出部８３からの明度状況変化検出信号を受信すると、携帯電話装置８０の設定、すなわち、着信設定をバイブレーションモードに変更する。また、携帯電話装置８０の機能も変更後のバイブレーションモードに対応する機能に変更するよう制御する。
【００５２】
図１２は、明度状況が変化するとき、携帯電話装置８０の動作を示すフローチャートである。
明度状況変化検出部８３は、外界明度センサー８２で外界明度を取得する（ステップＳ３０１）。
そして、現在の外界明度が基準となる所定の明度より暗いか否かを判定し（ステップＳ３０２）、現在の外界明度が基準となる所定の明度より暗いと判定した場合（ＹＥＳ）、明度状況変化検出信号を制御部８１に送出する。
【００５３】
ステップＳ３０２において、現在の外界明度が基準となる所定の明度より暗くないと判定した場合、ステップＳ３０１に戻り、再び外界明度センサー８２から現在の明度を取得する。
制御部８１は、明度状況変化検出部８３からの明度状況変化検出信号を受信すると、携帯電話装置８０の設定、すなわち、着信設定をバイブレーションモードに変更する（ステップＳ３０３）。また、携帯電話装置８０の機能も変更後のバイブレーションモードに対応する機能に変更する（ステップＳ３０４）。
これにより、携帯電話装置８０は、変更した機能及び設定で動作する（ステップＳ３０５）。そして、処理が終了する（ステップＳ３０６）。
【００５４】
このように、実施例３では、外界明度センサー８２から取得した外界明度により、現在外界明度が基準となる所定の明度より暗いかを判断し、現在の外界明度値で示す外界明度が基準となる所定の明度より暗いと判定したときに、携帯電話装置８０の設定、すなわち、着信設定をバイブレーションモードに変更する。
これにより、ポケットの中など暗い場所に移動した場合に、携帯電話装置の着信設定を自動的にバイブレーションモードに変更することができる。
【実施例４】
【００５５】
実施例４は、会議室、電車の中など通話に適さない場所に移動したときに、着信音が自動的に無音に変化する、もしくは携帯電話装置の電源を切る例である。
図１３は、本実施例に係る携帯電話装置１００の構成を示すブロック図である。
【００５６】
実施例４の携帯電話装置１００は、図１に示す携帯電話装置１０の構成において、センサーとしてＧＰＳ１０２用いたものである。この例では、状況変化検出手段として、場所変化検出部１０３を設けた。なお、図１に示した携帯電話装置１０と同一の構成要素には、同一の符号を付してその説明を省略する。
【００５７】
ＧＰＳ（Global Positioning System）１０２は、ＧＰＳ衛星からの測位信号を受信して自己の現在位置を検出するものである。
位置状況変化検出部１０３は、ＧＰＳ１０２から現在の位置情報を取得し、現在の位置は会議室、電車の中など通話に適さない場所であるとき、場所変化検出信号を制御部１０１に送出する。
【００５８】
制御部１０１は、場所変化検出部１０３からの場所変化検出信号を受信すると、携帯電話装置１００の設定、すなわち、着信音を無音にする、もしくは、携帯電話装置の電源を切るように変更する。また、携帯電話装置１００の機能も変更後の各設定に対応する機能に変更するよう制御する。
【００５９】
図１４は、場所が変化するとき、携帯電話装置１００の動作を示すフローチャートである。
場所変化検出部１０３は、ＧＰＳ１０２から現在の位置を取得する（ステップＳ４０１）。
そして、現在の位置が会議室、電車の中など通話に適さない場所であるか否かを判定し（ステップＳ４０２）、現在の位置が会議室、電車の中など通話に適さない場所であると判定した場合（ＹＥＳ）、場所変化検出信号を制御部１０１に送出する。
【００６０】
ステップＳ４０２において、現在の位置が会議室、電車の中など通話に適さない場所ではない（通話に適した場所である）と判定した場合（ＮＯ）、ステップＳ４０１に戻り、再びＧＰＳ１０２から現在の位置を取得する。
【００６１】
制御部１０１は、場所変化検出部１０３からの場所変化検出信号を受信すると、携帯電話装置１００の設定、すなわち、着信音を無音にする、もしくは、携帯電話装置の電源を切るように変更する（ステップＳ４０３）。また、携帯電話装置１００の機能も変更後の各設定に対応する機能に変更する（ステップＳ４０４）。
これにより、携帯電話装置１００は、変更した機能及び設定で動作する（ステップＳ４０５）。そして、処理が終了する（ステップＳ４０６）。
【００６２】
このように、実施例４では、ＧＰＳ１０２から取得した位置情報により、現在位置は会議室、電車の中など通話に適さない場所であるかを判断し、現在位置が会議室、電車の中など通話に適さない場所であると判定したとき、携帯電話装置１００の設定、すなわち、自動的に、着信音量を無音にする、もしくは、携帯電話装置１００の電源を切るように変更する。
これにより、現在の位置が会議室、電車の中など通話に適さない場所であるとき、自動的に、携帯電話装置の着信音を無音にする、もしくは携帯電話装置の電源を切るように変更することができる。
【実施例５】
【００６３】
実施例５は、携帯電話装置のアンテナ部の向き（上向き、下向き、横向きなど）に応じて、電話番号、メールアドレス、着信音量、着信音等が自動的に変化する例である。
図１５は、本実施例に係る携帯電話装置１２０の構成を示すブロック図である。
【００６４】
実施例５の携帯電話装置１２０は、図１に示す携帯電話装置１０の構成において、センサーとして、重力センサー１２２を用いたものである。この例では、状況変化検出手段として、重力状況変化検出部１２３を設けた。なお、図１に示した携帯電話装置１０と同一の構成要素には、同一の符号を付してその説明を省略する。
【００６５】
重力センサー１２２は、重力を電気信号に変換し、変換して得た電気信号を重力状況変化検出部１２３に送出するものである。
重力状況変化検出部１２３は、重力センサー１２２から重力値を取得し、重力値が所定値より変化があるとき、重力状況変化検出信号を制御部１２１に送出する。
制御部１２１は、重力状況変化検出部１２３からの重力状況変化検出信号を受信すると、携帯電話装置１２０の設定、すなわち、電話番号、メールアドレス、着信音量、着信音等の各設定を携帯電話装置１２０の向きに応じて変更する。また、携帯電話装置１２０の機能も変更後の電話番号、メールアドレス、着信音量、着信音等の各設定に対応する機能に変更するよう制御する。
【００６６】
図１６は、重力状況が変化するとき、携帯電話装置１２０の動作を示すフローチャートである。
重力状況変化検出部１２３は、重力センサー１２２から現在の重力値を取得する（ステップＳ５０１）。このとき取得する重力値は、アンテナ長手方向および他の方向の重力値をそれぞれ測定して取得する。例えば、アンテナ長手方向等、特定の重力を測定することにより、その方向の鉛直方向に対する角度を求めることができる。また、他の方向の重力も測定することにより、その方向の鉛直方向に対する角度も求めることができる。よって、携帯電話装置１２０のアンテナ部の向きがわかる（即ち、携帯電話装置１２０の向きが、上向き、下向き、横向きなどどのような状態になっているかがわかる）。
【００６７】
そして、現在の重力値が所定値より変化がないか否かを判定し（ステップＳ５０２）、現在の重力値が所定値より変化があると判定した場合（ＹＥＳ）、重力状況変化検出信号を制御部１２１に送出する。
ステップ５０２において、現在の重力値が所定値より変化がないと判定した場合（ＮＯ）、ステップＳ５０１に戻り、再び重力センサー１２２から現在の重力値を取得する。
制御部１２１は、重力状況変化検出部１２３からの重力状況変化検出信号を受信すると、
携帯電話装置１２０の設定、すなわち、電話番号、メールアドレス、着信音量、着信音等の各設定を携帯電話装置１２０のアンテナ部の向きに応じて変更する（ステップＳ５０３）。また、携帯電話装置１２０の機能も変更後の各設定に対応する機能に変更する（ステップＳ５０４）。
これにより、携帯電話装置１２０は、変更した機能及び設定で動作する（ステップＳ５０５）。そして、処理が終了する（ステップＳ５０６）。
【００６８】
このように、実施例５では、重力センサー１２２から取得した重力値により、現在の重力値が所定値より変化があると判定したときに、携帯電話装置１２０の設定、すなわち、電話番号、メールアドレス、着信音量、着信音等の各設定を携帯電話装置１２０の向きに応じて変更する。
これにより、携帯電話装置１２０の向き（上向き、下向き、横向きなど）の状態に応じて、携帯電話装置の電話番号、メールアドレス、着信音量、着信音等を自動的に変更することができる。
【実施例６】
【００６９】
実施例６は、折りたたみ式の携帯電話装置において、その折りたたみの開閉度に応じて、電話番号、メールアドレス、着信音量、着信音等が自動的に変化する例である。
図１７は、本実施例に係る携帯電話装置１４０の構成を示すブロック図である。
【００７０】
実施例６の携帯電話装置１４０は、図１に示す携帯電話装置１０の構成において、センサーとして、開閉度センサー１４２を用いたものである。状況変化検出手段として、開閉状況変化検出部１４３を設けた。なお、図１に示した携帯電話装置１０と同一の構成要素には、同一の符号を付してその説明を省略する。
【００７１】
開閉度センサー１４２は、開閉度を電気信号に変換し、変換して得た電気信号を開閉状況変化検出部１４３に送出するものである。
開閉状況変化検出部１４３は、開閉度センサー１４２から現在の開閉度を示す電気信号を取得し、現在の開閉度が所定の値以上の変化があったとき、開閉状況変化検出信号を制御部１４１に送出する。
制御部１４１は、開閉状況変化検出部１４２からの開閉状況変化検出信号を受信すると、携帯電話装置１４０の設定、すなわち、電話番号、メールアドレス、着信音量、着信音等の各設定を開閉状況に応じて変更する。また、携帯電話装置１４０の機能も変更後の電話番号、メールアドレス、着信音量、着信音等の各設定に対応する機能に変更するよう制御する。
【００７２】
図１８は、折りたたみの開閉状況が変化するとき、携帯電話装置１４０の動作を示すフローチャートである。
開閉状況変化検出部１４３は、開閉度センサー１４２から現在の開閉度を取得する（ステップＳ６０１）。
そして、現在の開閉度が所定の値以上の変化があるか否かを判定し（ステップＳ６０２）、開閉度が所定の値以上に変化があると判定した場合（ＹＥＳ）、開閉状況変化検出信号を制御部１４１に送出する。
【００７３】
ステップＳ６０２において、開閉度が所定の値以上に変化がないと判定した場合（ＮＯ）、、ステップＳ６０１に戻り、再び開閉度センサー１４２から現在の開閉度を取得する。
【００７４】
制御部１４１は、開閉状況変化検出部１４２からの開閉状況変化検出信号を受信すると、携帯電話装置１４０の設定、すなわち、電話番号、メールアドレス、着信音量、着信音等の各設定を開閉状況に応じて変更する（ステップＳ６０３）。また、携帯電話装置１４０の機能も変更後の電話番号、メールアドレス、着信音量、着信音等の各設定に対応する機能に変更する（ステップＳ６０４）。
これにより、携帯電話装置１４０は、変更した機能及び設定で動作する（ステップＳ６０５）。そして、処理が終了する（ステップＳ６０６）。
【００７５】
このように、実施例６では、開閉度センサー１４２から取得した現在の開閉度により、現在の開閉度が所定の値以上に変化があるかを判定し、現在の開閉度は所定の値以上に変化があると判定したときに、携帯電話装置１４０の設定、すなわち、電話番号、メールアドレス、着信音量、着信音等の各設定を開閉状況に応じて変更する。
これにより、折りたたみ式の携帯電話装置において、折りたたみの開閉度が所定の値以上に変化したとき、携帯電話装置の電話番号、メールアドレス、着信音量、着信音等を自動的に開閉状況に応じて変更することができる。
【実施例７】
【００７６】
実施例７は、着信およびメール受信をトリガーにして、電話番号、メールアドレス、着信音量、着信音等を自動的に変更する例である。
図１９は、本実施例に係る携帯電話装置１６０の構成を示すブロック図である。
【００７７】
実施例７の携帯電話装置１６０は、図１に示す携帯電話装置１０の構成において、状況変化検出手段として、着信及び受信検出部１６２を設け、アンテナ１２の出力を着受信検出部１６２に接続したものである。なお、図１に示した携帯電話装置１０と同一の構成要素には、同一の符号を付してその説明を省略する。
【００７８】
着受信検出部１６２は、電話の着信や電子メールの受信をトリガーにして、着受信検出信号を制御部１６１に送出する。
制御部１６１は、着受信検出部１６２からの着受信検出信号を受信すると、携帯電話装置１６０の設定、すなわち、電話番号、メールアドレス、着信音量、着信音等の各設定を変更する。また、携帯電話装置１６０の機能も変更後の電話番号、メールアドレス、着信音量、着信音等の各設定に対応する機能に変更するよう制御する。
【００７９】
図２０は、電話の着信や電子メールの受信による携帯電話装置１６０の動作を示すフローチャートである。
はじめに、電話の着信や電子メールの受信待ち状態となっており（ステップＳ７０１）、
ステップＳ７０２で、電話の着信や電子メールの受信があるか否かを判定し、電話の着信や電子メールの受信があると（ＹＥＳ）、着受信検出部１６２は、着受信検出信号を制御部１６１に送出する。
電話の着信や電子メールの受信がない場合は（ＮＯ）、ステップＳ７０１に戻り、再び電話の着信や電子メールの受信を待ちとなる。
【００８０】
制御部１６１は、着受信検出部１６２からの着受信検出信号を受信すると、携帯電話装置１６０の設定、すなわち、電話番号、メールアドレス、着信音量、着信音等の各設定を変更する（ステップＳ７０３）。また、携帯電話装置１６０の機能も変更後の電話番号、メールアドレス、着信音量、着信音等の各設定に対応する機能に変更する（ステップＳ７０４）。
これにより、携帯電話装置１６０は、変更した機能及び設定で動作する（ステップＳ７０５）。そして、処理が終了する（ステップＳ７０６）。
【００８１】
このように、実施例７では、電話の着信または電子メールの受信があると、携帯電話装置１６０の設定、すなわち、電話番号、メールアドレス、着信音量、着信音等の各設定を変更する。
これにより、電話の着信または電子メールの受信をトリガーとして、携帯電話装置の電話番号、メールアドレス、着信音量、着信音等を自動的に変更することができる。
【実施例８】
【００８２】
実施例８は、予め登録しておいた時刻になると、自動的に携帯電話装置の機能を変更する例である。例えば、就寝していると考えられる午前１時〜午前６時の間は音量を小さくする等の機能を有する。
図２１は、本実施例に係る携帯電話装置１８０の構成を示すブロック図である。
【００８３】
実施例８の携帯電話装置１８０は、図１に示す携帯電話装置１０の構成において、センサーとして、時計１８２を用いたものである。状況変化検出手段としては、登録時刻検出部１８３を設けた。なお、図１に示した携帯電話装置１０と同一の構成要素には、同一の符号を付してその説明を省略する。
【００８４】
登録時刻検出部１８３は、時計１８２から現在の時刻を取得し、現在の時刻が予め登録しておいた時刻となったとき、登録時刻検出信号を制御部１８１に送出する。
制御部１８１は、登録時刻検出部１８３からの登録時刻検出信号を受信すると、携帯電話装置１８０の設定、すなわち、着信音量を変更する。また、携帯電話装置１８０の機能も変更後の着信音量に対応する機能に変更するよう制御する。
【００８５】
図２２は、登録時刻となったとき、携帯電話装置１８０の動作を示すフローチャートである。
はじめに、登録時刻検出部１８３は、時計１８２から現在の時刻を取得する（ステップＳ８０１）。
そして、現在の時刻が予め登録しておいた時刻であるかを判定し（ステップＳ８０２）
、現在の時刻が予め登録しておいた時刻となったとき（ＹＥＳ）、登録時刻検出信号を制御部１８１に送出する。
ステップＳ８０２において、現在の時刻は登録した時刻ではないと判定した場合（ＮＯ）、ステップＳ８０１に戻り、再び現在の時刻を取得する。
【００８６】
制御部１８１は、登録時刻検出部１８３からの登録時刻検出信号を受信すると、携帯電話装置１８０の設定、すなわち、着信音量を変更する（ステップＳ８０３）。また、携帯電話装置１８０の機能も変更後の着信音量に対応する機能に変更するよう制御する（ステップＳ８０４）。
これにより、携帯電話装置１８０は、変更した機能及び設定で動作する（ステップＳ８０５）。そして、処理が終了する（ステップＳ８０６）。
【００８７】
このように、実施例８では、時計１８２から取得した現在の時刻により、現在の時刻は登録した時刻であるかを判断し、現在の時刻が登録した時刻であると判定したとき、携帯電話装置１８０の設定、すなわち、着信音量を変更する。
これにより、携帯電話装置の着信音量を自動的に変更することができ、例えば、午前１時になったとき、着信音量が小さくなるように設定し、午前６時になったとき、着信音量が元の大きさに戻るように設定するようにできる。
【実施例９】
【００８８】
実施例９は、１つの携帯電話装置２００で複数（２つ）の電話番号を持っている場合において、予め登録した地域にいるときに、その地域に対応した電話番号に自動的に切り替える例である。例えば、東京２３区内にいるときは、携帯電話装置２００の電話番号をＡとして、それ以外の地域にいる場合は電話番号をＢに切り替える場合である。
図２３は、本実施例に係る携帯電話装置２００の構成を示すブロック図である。
【００８９】
実施例９の携帯電話装置２００は、図１に示す携帯電話装置１０の構成において、センサーとして、ＧＰＳ２０２を用いたものである。状況変化検出手段としては、地域変化検出部２０３を設けた。なお、図１に示した携帯電話装置１０と同一の構成要素には、同一の符号を付してその説明を省略する。
【００９０】
地域変化検出部２０３は、ＧＰＳ２０２から現在の位置情報を取得し、現在位置が予め登録した地域になったとき、地域変化検出信号を制御部２０１に送出する。
制御部２０１は、地域変化検出部２０３からの地域変化検出信号を受信すると、携帯電話装置２００の設定、すなわち、電話番号を変更する。また、携帯電話装置２００の機能も変更後の電話番号に対応する機能に変更するよう制御する。
【００９１】
図２４は、地域が変化するとき、携帯電話装置２００の動作を示すフローチャートである。
はじめに、地域変化検出部２０３は、ＧＰＳ２０２から現在の位置情報を取得する（ステップＳ９０１）。
そして、取得した現在の位置情報により、携帯電話装置２００の現在位置が予め登録した地域に変化したか否かを判定する（ステップＳ９０２）。現在位置が予め登録した地域に変化したとき（ＹＥＳ）、地域変化検出信号を制御部２０１に送出する。
【００９２】
ステップＳ９０２において、地域の変化がないと判定した場合、ステップＳ９０１に戻り、再びＧＰＳ２０２から現在の位置情報を取得する。
【００９３】
制御部２０１は、地域変化検出部２０３からの地域変化検出信号を受信すると、携帯電話装置２００の設定、すなわち、電話番号を変更する（ステップＳ９０３）。また、携帯電話装置２００の機能も変更後の電話番号に対応する機能に変更する（ステップＳ９０４）。
これにより、携帯電話装置２００は、変更した機能及び設定で動作する（ステップＳ９０５）。そして、処理が終了する（ステップＳ９０６）。
【００９４】
このように、実施例９では、ＧＰＳ２０２から取得した現在位置により、携帯電話装置２００の現在位置が予め登録した地域にあるか否かを判定し、登録した地域にある判定したとき、携帯電話装置２００の設定、すなわち、電話番号を地域に対応した番号に変更する。
これにより、携帯電話装置の現在位置の地域が変わったときに、携帯電話装置の電話番号を自動的に変更することができる。
【００９５】
以上、詳述したように、本発明の実施の形態に係る通信用端末装置１０は、外界状況の変化を検出し、外界状況変化検出信号を送信する状況変化検出部（状況変化検出手段）１８と、外界状況変化検出信号を受信することにより、記憶部（記憶手段）２１に記憶されている所定の機能及び／又は設定を読み出して、機能及び／又は設定を変更する制御部（制御手段）１１と、を有するので、外界状況が変化するとき、その変化に応じて通信用端末装置１０の設定を自動的に変更することができる。
【図面の簡単な説明】
【００９６】
【図１】本発明の実施の形態における携帯電話装置の構成を示すブロック図である。
【図２】本発明の実施の形態における、電話番号の変遷イメージ及び制御部の制御により設定変更の例を示す図であり、通常モードを示す図である。
【図３】本発明の実施の形態における、電話番号の変遷イメージ及び制御部の制御により設定変更の例を示す図であり、昼モードを示す図である。
【図４】本発明の実施の形態における、電話番号の変遷イメージ及び制御部の制御により設定変更の例を示す図であり、夜モードを示す図である。
【図５】本発明の実施の形態における、電話番号の変遷イメージ及び制御部の制御により、アカウント名、電話番号、電子メールアドレス、着信音量、着信音、壁紙、カラーパターンなどをそれぞれ変更した例を示す図である。
【図６】本発明の実施の形態における携帯電話装置の動作説明のためのフローチャート図である。
【図７】本発明の実施の形態の実施例１における携帯電話装置の構成を示すブロック図である。
【図８】実施例１の動作を示すフローチャートである。
【図９】本発明の実施の形態の実施例２における携帯電話装置の構成を示すブロック図である。
【図１０】実施例２の動作を示すフローチャートである。
【図１１】本発明の実施の形態の実施例３における携帯電話装置の構成を示すブロック図である。
【図１２】実施例３の動作を示すフローチャートである。
【図１３】本発明の実施の形態の実施例４における携帯電話装置の構成を示すブロック図である。
【図１４】実施例４の動作を示すフローチャートである。
【図１５】本発明の実施の形態の実施例５における携帯電話装置の構成を示すブロック図である。
【図１６】実施例５の動作を示すフローチャートである。
【図１７】本発明の実施の形態の実施例６における携帯電話装置の構成を示すブロック図である。
【図１８】実施例６の動作を示すフローチャートである。
【図１９】本発明の実施の形態の実施例７における携帯電話装置の構成を示すブロック図である。
【図２０】実施例７の動作を示すフローチャートである。
【図２１】本発明の実施の形態の実施例８における携帯電話装置の構成を示すブロック図である。
【図２２】実施例８の動作を示すフローチャートである。
【図２３】本発明の実施の形態の実施例９における携帯電話装置の構成を示すブロック図である。
【図２４】実施例９の動作を示すフローチャートである。
【符号の説明】
【００９７】
１０，４０，６０，８０，１００，１２０，１４０，１６０，１８０，２００  携帯電話装置
１２  アンテナ
１３  送受信部
１４  ＲＦ，オーディオ処理部
１５  マイクロフォン
１６  スピーカ
１７  センサー
１８  状況変化検出部
１９  操作部
２０  表示部
２１  記憶部
１１，４１，６１，８１，１０１，１２１，１４１，１６１，１８１，２０１  制御部
４２，１８２  時計
４３  カレンダー
４４，１８３  時間帯変化検出部
６２  体温計
６３  心拍計
６４  身体状況変化検出部
８２  外界明度センサー
８３  明度状況変化検出部
１０２，２０２  ＧＰＳ
１０３，２０３  位置状況変化検出部
１２２  重力センサー
１２３  重力状況変化検出部
１４２  開閉度センサー
１４３  開閉状況変化検出部
１６２  着信及び受信検出部
【図１】
2006074477.tif 000003
【図２】
2006074477.tif 000004
【図３】
2006074477.tif 000005
【図４】
2006074477.tif 000006
【図５】
2006074477.tif 000007
【図６】
2006074477.tif 000008
【図７】
2006074477.tif 000009
【図８】
2006074477.tif 000010
【図９】
2006074477.tif 000011
【図１０】
2006074477.tif 000012
【図１１】
2006074477.tif 000013
【図１２】
2006074477.tif 000014
【図１３】
2006074477.tif 000015
【図１４】
2006074477.tif 000016
【図１５】
2006074477.tif 000017
【図１６】
2006074477.tif 000018
【図１７】
2006074477.tif 000019
【図１８】
2006074477.tif 000020
【図１９】
2006074477.tif 000021
【図２０】
2006074477.tif 000022
【図２１】
2006074477.tif 000023
【図２２】
2006074477.tif 000024
【図２３】
2006074477.tif 000025
【図２４】
2006074477.tif 000026